(57)【特許請求の範囲】
【請求項１】
洋式便器１０の左右の床面に配置する前後方向に水平に延びる左右一対の足部１１と、
該足部１１から立ち上がる左右一対の縦フレーム２と、
洋式便器１０の前壁１３の前方に位置して左右の縦フレーム２から水平方向に延びて左右の縦フレーム２を連結する連結フレーム３と、
左右の縦フレーム２の上端部から前方に水平に延びる左右一対のアームレスト６と、
洋式便器１０の左右の基体１２の側壁１４の曲面を水平方向に押圧する連結フレーム３に設けた押圧部材４とからなる洋式便器用介助具において、
前記連結フレーム３に連設された左右一対の横杆４０に螺合した押圧ねじ４２の先端に配設されて洋式便器１０の側壁１４の曲面を水平方向に押圧する左右一対の棒状又は柱状の当接部４３と、
この当接部４３に連設したガイド片４７と、このガイド片４７と前記横杆４０の間に押圧ねじ４２と平行に配設したガイドピン４６とからなる押圧部材４を備えたことを特徴とする洋式便器用介助具。
【発明の詳細な説明】
【技術分野】
【０００１】  本発明は、高齢者、身体障害者、膝や足腰の屈伸が不自由な者あるいは車椅子使用者だけでなく健常者等全ての者が自宅の既存の洋式便器を利用する際に着座、排泄、起立等の一連の排泄動作を自力で容易に出来るように補助するための介助具に関するものである。
【背景技術】
【０００２】
従来、高齢者、身体障害者、身体の不自由な者あるいは車椅子使用者が、自宅において既存の洋式便器を使用する際に、自力で洋式便器に着座したり起立したりすることは、膝や足腰の屈伸が不自由のため極めて困難で時には苦痛を伴い、介助者に頼るか又は杖などに頼って時間のかかる動作をし、多大な苦労と時間を要していた。
【０００３】  このような不都合を解決するために、トイレの床面や壁面に手摺パイプを取り付け（例えば、特許文献１参照）、これを利用することが考えられるが、該手摺パイプを取り付けるために、専門の施工業者に依頼をして施行してもらわなければならないという面倒さや費用が嵩むという不都合があり、一般家庭には余り普及していないのが現状である。【０００４】  そのために、既存の洋式便器に取り付ける洋式便器用手摺（例えば、特許文献２参照）が提案されている。この洋式便器用手摺は洋式便器の左右に配置され、金属パイプを矩形状に形成した対向する枠体を有しており、該枠体の上方に手摺部を設けている。【０００５】  前記左右に対向する枠体は、洋式便器の前方下部に配設された連結部材と、洋式便器の後方上部に設けられた連結部材によって、相互に連結されており、この連結部材によって、前記枠体が起立状態となっている。【０００６】  前記枠体の前後の縦パイプには、それぞれ上下方向に複数個のねじ孔が穿設されており、このねじ孔の任意の一個に横桟が螺着されている。この横桟には前後方向に一定の間隔で複数個のネジ孔が穿設されており、いずれかのネジ孔に螺合することで、左右方向に移動する雄ねじが設けられている固定棒が取り付けられている。この固定棒の先端の当接部によって、洋式便器の側壁を左右両側から水平方向に押圧することにより、この洋式便器用手摺が洋式便器に固定されることになる。【０００７】  ところが、このような洋式便器用手摺は、回転棒の雄ねじを回転させることにより洋式便器の側壁を固定棒の先端の当接部によって左右から水平方向に押圧するようにしているため、当接部の形状が円形状の場合には問題にはならない押圧状態での回動であるが、当接部の形状が棒形状又は柱形状の場合にはその当接部が時計回り又は反時計回りに回動してしまい取付姿勢が変化するため洋式便器の側壁と固定棒の先端の当接部との関係姿勢が設定した位置に固定されないため、洋式便器用手摺を洋式便器に固定ができず左右方向の位置ずれやがたつき及び上下方向のがたつきを規制することができない。従って、手摺部を持って座ったり、立ち上がったりする時に、洋式便器用手摺自身ががたつき、使用者にとって危険な状態となる不都合がある。【０００８】
【特許文献１】  実公昭６１−８７９５号公報
【特許文献２】  実開平５−２３９９７号公報
【発明の開示】
【発明が解決しようとする課題】
【０００９】  本件発明は、上述の不都合を解決しようとするものであり、洋式便器の側壁を棒状又は柱状の当接部で左右両側から水平方向に押圧する洋式便器用介助具において、前記棒状又は柱状の当接部が洋式便器の側壁に押圧時に時計回り又は反時計回りに回動しないようにするため洋式便器の側壁と当接部との関係姿勢が一定に固定されるようにすることをその目的とする。
【課題を解決するための手段】
【００１０】
上記課題を解決するための本発明の手段は、
洋式便器１０の左右の床面に配置する前後方向に水平に延びる左右一対の足部１１と、該足部１１から立ち上がる左右一対の縦フレーム２と、洋式便器１０の前壁１３に位置して左右の縦フレーム２から水平方向に延びて左右の縦フレーム２を連結する連結フレーム３と、左右の縦フレーム２の上端部から前方に水平に延びる左右一対のアームレスト６と、洋式便器１０の左右の基体１２の側壁１４の曲面を水平方向に押圧する連結フレーム３に設けた押圧部材４とからなる洋式便器用介助具において、
前記連結フレーム３に連設された左右一対の横杆４０に螺合した押圧ねじ４２の先端に配設されて洋式便器１０の側壁１４の曲面を水平方向に押圧する左右一対の棒状又は柱状の当接部４３と、
この当接部４３に連設したガイド片４７と、このガイド片４７と前記横杆４０の間に押圧ねじ４２と平行に配設したガイドピン４６とからなる押圧部材４を備えたことを特徴とする洋式便器用介助具である。
【００１１】
上記の手段の作用について説明すると、本発明の洋式便器用介助具を洋式便器に固定するために、押圧ねじを回転させて洋式便器の左右の基体の側壁の曲面に棒状又は柱状の当接部を押圧させる。この時、当接部に連設したガイド片と前記横杆の間に押圧ねじと平行にガイドピンを配設しているから、当接部の洋式便器への当接姿勢は決定される。この押圧状態において、洋式便器用介助具は洋式便器の側壁により保持されている状態となって固定される。
【発明の効果】
【００１２】  本発明は上述の構成であるから次の特有の効果を有する。当接部の押圧姿勢は、ガイドピンにより固定的に決定されて押圧しているから、経年の使用により洋式便器への取付姿勢が変わるような不都合がなく、従来のように位置ずれやがたついたりすることがない。又、洋式便器の側壁と押圧部材の位置関係が決まるから本発明の洋式便器用介助具の取付において熟練を要しない。言い換えれば、押圧部材の取付姿勢が常に一定しかつ適正なものとなる。
【発明の実施するための最良の形態】
【実施例】
【００１３】  本発明の実施の形態を図面を参照して説明する。
図１及び図３に示すように、本発明の洋式便器用介助具１は、洋式便器１０の左右の床面に配置する前後方向に水平に延びる左右一対の足部１１と、該足部１１から立ち上がる左右一対の上パイプ２０と下パイプ２１から成る縦フレーム２と、左右の縦フレーム２を洋式便器１０の前壁１３側で連結する連結フレーム３と、前端側が連結フレーム３に片持ち状に取り付けられた左右一対の横杆４０と、各横杆４０に取り付けられ且つ洋式便器１０の基体１２の左右の側壁１４の曲面を水平方向に押圧する左右一対の押圧部材４と、左右の縦フレーム２の上パイプ２０の上端部から前方に水平に延びる左右一対のアームレスト６を突設したことから構成されている。【００１４】  足部１１は、洋式便器１０の左右両側に配置された左右一対の前後方向に水平に延伸している。該足部１１から上パイプ２０をその上端側から挿入される下パイプ２１が立設されて縦フレーム２を形成している。【００１５】  縦フレーム２は、下パイプ２１の外側面に穿設されたねじ孔にねじ込んで上パイプ２０の外側面を回動防止及びガタツキ防止のために押圧する押圧ノブ２３を配設し、そして、上パイプ２０の外側面に抜孔を形成し、Ｕ字形に折り曲げた線バネの外側面に湾曲した突起２４を設け、上パイプ２０の内部に線バネを押し込んでその突起２４を前記抜孔より突出させ、下パイプ２１の上端部近傍に上記突起が嵌る数個の抜止孔２２を適当な間隔に穿設されている。【００１６】  左右の下パイプ２１に連結フレーム３の連結板３３をねじ止め等により締結して連結フレーム３が架設されており、この連結フレーム３は、固定設置された洋式便器１０の前壁１３から両側壁１４に渡ってその周囲を取り囲む略コ字形状の湾曲部３０と連設する直線部３１が連結板３３を介して下パイプ２１と相互に連結して構成されていて、該湾曲部３０は洋式便器１０の下部の前壁１３に当接または近接するように嵌合されている。【００１７】  前記連結フレーム３は、パイプ等から折り曲げ成形により一対に形成されているが、例えば直線部３１、湾曲部３０を別々に形成したものを溶接などにより連結してもよい。【００１８】  図２に示すように、横杆４０は、短い筒体でその前方端の内部に雌ねじ部を構成するナットが止着されており、このナットと締結ノブ４１によりその前端側を連結フレーム３の直線部３１と片持ち状に洋式便器１０の側壁１４のくびれ部分よりも下側に固定されている。前記締結ノブ４１は、横杆４０を任意の締結孔３２の位置で連結フレーム３の直線部３１に固定している。又、横杆４０には回転操作ノブ４４を回転させることにより洋式便器１０の側壁１４方向に進退可能に押圧部材４が螺合している。【００１９】  該押圧部材４は、横杆４０の長手方向の軸と直角に押圧ねじ４２を螺合し、この押圧ねじ４２の一方端に洋式便器１０の側壁１４の曲面に当接させる摩擦係数の大きな弾性の合成樹脂またはゴムより形成される棒状又は柱状の当接部４３を具備し、他方端には、押圧ねじ４２を回動させるための回転操作ノブ４４を設けている。なお、押圧ねじ４２には、該押圧ねじ４２と螺合しているロックナット４５が横杆４０の外周部に連設されている。【００２０】  そして、前記当接部４３の当接端部５０���一方端の下面には、ガイド片４７が垂設されており、このガイド片４７にはガイド孔４８が穿設されている。このガイド孔４８には、押圧ねじ４２と平行に一方端を前記横杆４０に固着したガイドピン４６が挿通されている。尚、該ガイドピン４６の他方端にはストッパー４９が連設されており、当接部４３の移動し過ぎを規制している。【００２１】  前記回転操作ノブ４４を回転させることで、押圧ねじ４２が回転しながら前記当接部４３が押圧ねじ４２の延びだし方向に進出する。この時当接部４３は、ガイド片４７のガイド孔４８に挿通されているからガイドピン４６に沿って進退することになる。従って当接部４３の押圧時の回動規制及び道案内の役目をも果たすこととなる。【００２２】  又、洋式便器１０の側壁１４の曲面状態に応じて当接部４３がある程度の自由度を持ってその当接角度を調節できるように、押圧ねじ４２と当接部４３との接続部分を首振り可能としてもよい。【００２３】  以上にように構成された本発明の洋式便器用介助具１を既存の洋式便器１０に設置する手順を説明する。最初に、連結フレーム３の接続された下パイプ２１が立設されている左右の足部１１を洋式便器１０の両側に設置する。この時連結フレーム３の湾曲部３０を洋式便器１０の前壁１３に当接または近接するまで差し込むことにより大体の位置決めをする。【００２４】  次いで、押圧部材４を洋式便器１０の側壁１４を水平方向から押圧させて本発明の洋式便器用介助具１を固定させるために、各横杆４０の左右位置、各押圧部材４の洋式便器１０の側壁１４までの当接距離の調整をする。先ず、各押圧部材４の左右位置を決定するには、締結ノブ４１を緩めて連結フレーム３の直線部３１から横杆４０を取り外し、押圧部材４と横杆４０の関係を考慮して直線部３１に穿設した締結孔３２の最適な位置を決定し、その位置で締結ノブ４１により横杆４０を緊結して直線部３１に横杆４０を固定する。【００２５】  次に、押圧部材４の洋式便器１０の側壁１４までの当接距離の調整をする時は、回転操作ノブ４４を回転して押圧ねじ４２を洋式便器１０の側壁１４方向に進出させ棒状及び柱状の当接部４３を側壁１４に当接させて確実に押圧するまで回転させる。この時棒状及び柱状の当接部４３は、側壁１４に押圧状態で押圧ねじ４２を回転させると、その回転力により時計回り及び反時計回りに回動する。しかし横杆４０に設けているガイドピン４６が当接部４３に固着しているガイド片４７に穿設しているガイド孔４８に挿通状態であるため前記回動が規制される。【００２６】  尚、当接部４３の押圧部分は洋式便器１０の側壁１４の曲面部分を水平方向に押圧している。なぜならば、その押圧力により洋式便器介助具１全体を床面に押し付ける作用が働き上下及び横方向の移動等がないため、ガタツキを制御出来安定性が増大する。よって、足部１１を床面にボルトなどの固定手段で固定しなくてもよく不要時には容易に取り除くことが出来る。【００２７】  次に、縦フレーム２の下パイプ２１に設置している押圧ノブ２３を緩めてから、抜止孔２２から突出ている突起２４を指で押し込みながら突起２４を抜止孔２２から外して上パイプ２０と下パイプ２１からスライドさせ、使用者の肘をアームレスト��に載置する最適の位置を決定したら、その位置の抜止孔２２に突起２４を突入させて嵌合状態として、最後に押圧ノブ２３を回転させて上パイプ２０に押圧させ、上パイプ２０を下パイプ２１に締結することによりアームレスト６の高さ調整をする。【００２８】  アームレスト６の高さ調整のための接続構造は、上記のような構造であるから、挿入する上パイプ２０を挿入される下パイプ２１に差し込むときに、突起２４が挿入する上パイプ２０の抜孔に押し込まれ、所定の抜止孔２２に突起２４を合わせると線バネの弾力によって突起２４が抜止孔２２に突入するので、両パイプを適宜位置に固定して簡単に連結できる。
【産業上の利用可能性】
【００２９】  本発明の洋式便器用介助具１は、高齢者あるいは膝や足腰の屈伸が不自由な者及び車椅子使用者だけでなく、健常者等すべての者が自宅の既存の洋式便器を利用する際に自力で着座、起立、排泄等の一連の排泄動作を補助するための安全で快適に使用できる使い勝手の良い洋式便器用の介助具として使用できる。
【図面の簡単な説明】
【００３０】
【図１】  本発明にかかる洋式便器用介助具の実施の形態を示す斜視図である。
【図２】  押圧部材の拡大図である。
【図３】  洋式便器に本発明の洋式便器用介助具を設置した斜視図である。
【符号の説明】
【００３１】１：洋式便器用介助具  １０：洋式便器  １１：足部  １２：基体  １３：前壁
１４：側壁
２：縦フレーム  ２０：上パイプ  ２１：下パイプ  ２２：抜止孔  ２３：押圧ノブ
２４：突起
３：連結フレーム  ３０：湾曲部  ３１：直線部  ３２：締結孔  ３３：連結板
４：押圧部材  ４０：横杆  ４１：締結ノブ  ４２：押圧ねじ  ４３：当接部
４４：回転操作ノブ  ４５：ロックナット  ４６：ガイドピン  ４７：ガイド片
４８：ガイド孔  ４９：ストッパー  ５０：当接端部
６：アームレスト
【図１】
0004617237.tif 000002
【図２】
0004617237.tif 000003
【図３】
0004617237.tif 000004